(57)【要約】【課題】２以上の預金口座を有する１枚のＩＣキャシュカードの表面に２以上の預金口座番号情報を表記すること。【解決手段】ＩＣチップ２を内蔵しその表面に少なくともカード名称３と所有者名６を表記しているＩＣキャシュカード１において、前記表面に２以上の預金口座番号情報８、９を表記したＩＣキャッシュカード１。【選択図】図１
0003115396.tif 000002
【実用新案登録請求の範囲】
【請求項１】
ＩＣチップを内蔵しその表面に少なくともカード名称と所有者名を表記しているＩＣキャシュカードにおいて、前記表面に２以上の預金口座番号情報を表記したことを特徴とするＩＣキャッシュカード。
【請求項２】
前記２以上の預金口座番号情報のうち、ＩＣキャッシュカードの読み取り方向に向って右側であるカード上方には１以上の生体認証対応預金口座番号情報が表記され、ＩＣキャッシュカードの読み取り方向に向って左側であるカード下方には１以上の磁気認証対応預金口座番号情報が表記されてなることを特徴とする請求項１記載のＩＣキャッシュカード。
【請求項３】
前記生体認証対応預金口座番号情報と磁気認証対応預金口座番号情報の表記は、異なる表記を用いてなることを特徴とする請求項２記載のＩＣキャッシュカード。
【請求項４】
前記生体認証対応預金口座番号情報と磁気認証対応預金口座番号情報のいずれか一方又は双方に漢字が含まれた預金口座番号情報であることを特徴とする請求項２又は３に記載のＩＣキャシュカード。
【考案の詳細な説明】
【技術分野】
【０００１】
この考案は、主として生体認証対応可能な銀行のＡＴＭ（現金自動預払機）で使用されるＩＣキャシュカードに関する。
【背景技術】
【０００２】
生体認証（バイオメトリクス）機能を具備したＩＣキャッシュカードが最近になって普及し、実用化されている。このＩＣキャッシュカードには、ＩＣチップが組み込まれており、従来の磁気記憶によるキャッシュカードと比較して大量のデータを記憶することができるので、この大量のデータ記憶機能を利用して本人確認のための手のひら静脈による生体認証機能を具備することによって、万一、他人が無断で預金口座から引出しを試みても従来の暗証番号のみの場合と異なり安全性が格段に向上している。このようなＩＣキャッシュカードの表面には、１つの預金口座番号を中心とする情報が表示されている。
【特許文献１】特開２００５−１２８７９７号公報
【考案の開示】
【考案が解決しようとする課題】
【０００３】
しかしながら、上記のＩＣキャッシュカードは、１預金口座で生体認証機能と暗証番号が併用されるので預金口座の安全性が優れていることから、使用範囲が拡大しているものの、預金口座は基本的に１口座であるので、ＩＣキャッシュカードの表面に表示される預金口座番号を中心とする預金口座番号情報も１つしか表示されていないのが現状である。
この考案は上記事情に鑑みてなされたものであって、２以上の預金口座を管理できるＩＣキャッシュカードの表面にそれぞれの預金口座番号情報を表示したものである。
【課題を解決するための手段】
【０００４】
請求項１のＩＣキャッシュカードは、ＩＣチップを内蔵しその表面に少なくともカード名称と所有者名を表記しているＩＣキャシュカードにおいて、前記表面に２以上の預金口座番号情報を表記したことを特徴とするものである。
【０００５】
請求項２のＩＣキャッシュカードは、前記２以上の預金口座番号情報のうち、ＩＣキャッシュカードの読み取り方向に向って右側であるカード上方には１以上の生体認証対応預金口座番号情報が表記され、ＩＣキャッシュカードの読み取り方向に向って左側であるカード下方には１以上の磁気認証対応預金口座番号情報が表記されてなることを特徴とするものである。
【０００６】
請求項３に記載ＩＣキャッシュカードは、前記生体認証対応預金口座番号情報と磁気認証対応預金口座番号情報の表記は、異なる表記を用いてなることを特徴とするものである。
【０００７】
請求項４に記載ＩＣキャッシュカードは、前記生体認証対応預金口座番号情報と磁気認証対応預金口座番号情報のいずれか一方又は双方に漢字が含まれた預金口座番号情報であることを特徴とするものである。
【考案の効果】
【０００８】
請求項１のＩＣキャシュカードによれば、１枚のＩＣキャッシュカードで生体認証対応預金口座と暗証番号で取引できる磁気認証対応預金口座を管理する場合、生体認証対応預金口座を複数管理する場合、更には、暗証番号のみで取引できる磁気認証対応預金口座番を複数管理する場合において、それらの預金口座番号情報をＩＣキャッシュカードの表面に表示することによって、自己が所有する預金口座番号情報が一見して判る効果がある。
【０００９】
請求項２のＩＣキャッシュカードによれば、生体認証対応預金口座番号情報と磁気認証対応預金口座情報の表記エリアが定められているので、一見して混同を防止できる効果がある。
【００１０】
請求項３のＩＣキャッシュカードによれば、生体認証対応預金口座番号情報と磁気認証対応預金口座情報の表記は、異なる表記を用いているので、それを一見して識別することができ混同を防止できる効果がある。ここで云うところの異なる表記の例を示せば、字の大きさ、字の色彩、字体、凹凸の有無、字の種類、字の読取方向などである。
【００１１】
請求項４のＩＣキャッシュカードによれば、生体認証対応口座番号情報や磁気認証対応預金口座番号情報などに漢字が含まれているので、語数を少なくすることができて、カードの表面スペースを有効活用できると共に一見して判断し易い効果がある。
【考案を実施するための最良の形態】
【００１２】
この考案の実施形態について以下図に基づいて説明する。
図１はこの考案のＩＣキャッシュカード（以下、単に「カード」という。）１の第１実施例を示し、カード１の表面の中央部分にはＩＣチップ２が内蔵されると共に、カード名称３である、例えば「ＡＢＣＤ」が表示されている。そして、カード１の上方側端、すなわち、カード１の読み取り方向の右側端には、カード１の読み取り方向の矢印４や銀行名５が表示されている。更に、カード１の下方側端、すなわちカード１の読み取り方向の左側端にはカードの所有者名６や有効期限７が表示されている。加えて、カード名称３の上方側には生体認証対応預金口座番号情報８が表示されている。この生体認証対応預金口座番号情報８には、左から順に、銀行の支店番号、預金種別、口座番号、発行回数や本人・代理種別、カード種別などの情報が標準として盛り込まれている。このような生体認証対応預金口座番号情報８の詳細な表示内容は選択的であり、又、他の情報を加えてもよい。カード名称３の下方側には磁気認証対応預金口座番号情報９が表示されている。その情報の内容は、生体認証対応預金口座番号情報８と同じであるが、異なるものであっても良い。以上は、生体認証対応預金口座番号情報８及び磁気認証対応預金口座番号情報９がそれぞれ１つの口座を開設している場合について説明したが、それぞれ２以上の口座を開設している場合にはそれら全てあるいは選択的に一部のみを表示するようにしてもよい。ＩＣチップ２には、生体認証するための本人の手のひら静脈のデータが記憶されていると共に、振り込み先の登録情報などの他の必要な情報も記憶されている・
【００１３】
図２はこの考案のカード１０の第２実施例を示している。前記第１実施例と異なる点は、生体認証対応預金口座番号情報８がなくて磁気認証対応預金口座番号情報９のみを複数有しているカード１０を示している点である。このカード１０の場合には生体認証対応預金口座番号情報８がないので、生体認証するための本人の手のひら静脈のデータがＩＣチップ２には記憶されていない。この第２実施例のカード１０と前記第１実施例のカード１は、双方ともに磁気認証対応預金口座番号情報９を有しているので、生体認証対応の機能を具備していない従来の暗証番号のみに対応しているＡＴＭにおいて利用できる機能を備えている。
【００１４】
図３はこの考案のカード１１の第３実施例を示している。前記第１実施例と異なる点は、磁気認証対応預金口座番号情報９がなくて生体認証対応預金口座番号情報８のみを複数有しているカード１１を示している点である。ＩＣチップ２には、生体認証するための本人の手のひら静脈のデータが記憶されていると共に、振り込み先の登録情報などの他の必要な情報も記憶されている。
【００１５】
図４はこの考案のカードにおいて表示する生体認証対応預金口座番号情報８と磁気認証対応預金口座番号情報９の好ましい表示エリアを点線でそれぞれ示したものである。生体認証対応預金口座番号情報８はカード名称３の上方のＩＣチップ２近辺のエリアで、磁気認証対応預金口座番号情報９はカード名称３の下方でカード所有者名６の上方のエリアが好ましい分類の仕方であるが、必ずしもこれに限定されるものではない。例えば、図２、図３に示すカード１０及び１１には磁気認証対応預金口座情報９又は生体認証対応預金口座情報８のいずれかの表示のみしかないので、上記エリアに限定されることなく、他の空スペースに判るように表示してもよい。
【００１６】
尚、生体認証対応預金口座番号情報８及び磁気認証対応預金口座番号情報９は上記のように表示エリアを定めていることによって、それぞれ複数の預金口座を有している場合であっても容易に判別できるが、これに加えて、又は、これとは別に、使用する文字の大きさ、色彩、字体、凹凸の有無、字の種類、字の読取方向などで区別するようにしてもよい。とくに、今まで使用されていなかった漢字を使用すれば、狭い表示エリアでも多くの情報を表示することができるのに加えて、一見してその情報を認識できるという利点がある。
【産業上の利用可能性】
【００１７】
この考案のＩＣキャッシュカードは、銀行等に複数の預金口座を開設している口座所有者のＩＣキャッシュカードとして有効に利用できる。
【図面の簡単な説明】
【００１８】
【図１】この考案の第１実施例の表面図。
【図２】この考案の第２実施例の表面図。
【図３】この考案の第３実施例の表面図。
【図４】この考案の預金口座番号情報の表示エリアを示す説明図。
【符号の説明】
【００１９】
１    ＩＣキャッシュカード
２    ＩＣチップ
８    生体認証対応預金口座番号情報
９    磁気認証対応預金口座番号情報
１０  ＩＣキャッシュカード
１１  ＩＣキャッシュカード
【図１】
0003115396.tif 000003
【図２】
0003115396.tif 000004
【図３】
0003115396.tif 000005
【図４】
0003115396.tif 000006